【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類されている再生管理情報であって、前記第１の副の再生パスと前記第２の副の再生パスのそれぞれは前記所定の種類に対して許可されたタイプの再生パスである、という第１の条件を少なくとも満たしている前記再生管理情報を取得する取得手段と、
前記取得手段により取得された前記再生管理情報に基づいて、再生するストリームの選択を、前記メインストリーム群と前記第１のサブストリーム群との第１の組み合わせ、または、前記メインストリーム群と前記第２のサブストリーム群との第２の組み合わせとして受け付ける受付手段と、
前記受付手段により前記第１の組み合わせが受け付けられた場合、前記メインストリーム群を前記主の再生パスを参照して読み出すとともに、前記第１のサブストリーム群を前記第１の副の再生パスを参照して読み出し、前記受付手段により前記第２の組み合わせが受け付けられた場合、前記メインストリーム群を前記主の再生パスを参照して読み出すとともに、前記第２のサブストリーム群を前記第２の副の再生パスを参照して読み出す読み出し手段と、
前記読み出し手段により読み出された前記メインストリーム群とともに、前記第１のサブストリーム群と前記第２のサブストリーム群とのうちの前記読み出し手段により読み出された方を再生する再生手段と
を備え、
前記読み出し手段が一度に読み出すことが可能なファイルの読み出し個数が第１のファイルと第２のファイルの２個と予め決められており、
前記再生管理情報は、前記第１の条件に加えてさらに、前記第１のファイルとともに１つの前記第２のファイルが読み出されるように、１以上の前記副の再生パスを決定する、という第２の条件を満たしており、
前記主の再生パスは、前記第１のファイルに含まれる前記メインストリーム群のうちの少なくとも１つのストリームの時間軸上の位置を示し、
前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示し、
前記読み出し手段は、前記取得手段により取得された前記再生管理情報で特定される１以上のストリームのそれぞれを、前記主の再生パスにより参照される前記第１のファイル、および、１以上の前記副の再生パスのそれぞれにより参照される前記第１のファイルまたは第２のファイルのうちの、それぞれ対応するファイルからそれぞれ読み出す
再生装置。
【請求項２】
少なくとも１つのストリームを含むファイルの再生を管理する再生管理情報を含むデータが記録された記録媒体であって、
前記再生管理情報は、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、
前記第１の副の再生パスと前記第２の副の再生パスのそれぞれは、前記所定の種類に対して許可されたタイプの再生パスであるという第１の条件と、一度に読み出される前記ファイルの総数が、再生装置において予め決められた、第１のファイルと第２のファイルの２個となるように、前記第１の副の再生パスおよび前記第２の副の再生パスを決定する、という第２の条件を少なくとも満たしており、
前記主の再生パスは、前記第１のファイルに含まれる前記メインストリーム群のうちの少なくとも１つのストリームの時間軸上の位置を示し、
前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示す
データが記録された記録媒体。
【請求項３】
再生装置において再生可能なデータが記録される記憶媒体の製造方法であって、
再生を管理する再生管理情報は、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、
前記第１の副の再生パスと前記第２の副の再生パスのそれぞれは、前記所定の種類に対して許可されたタイプの再生パスであるという第１の条件と、一度に読み出されるファイルの総数が、再生装置において予め決められた、第１のファイルと第２のファイルの２個となるように、前記第１の副の再生パスおよび前記第２の副の再生パスを決定する、という第２の条件を少なくとも満たしており、
前記主の再生パスは、前記第１のファイルに含まれる前記メインストリーム群のうちの少なくとも１つのストリームの時間軸上の位置を示し、
前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示す
データ構造を有するデータを生成し、
生成されたデータを記録媒体に記録する
ステップを含む記録媒体の製造方法。
【手続補正２】
【補正対象書類名】明細書
【補正対象項目名】００１２
【補正方法】変更
【補正の内容】
【００１２】
本発明の第１の側面の再生装置は、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類されている再生管理情報であって、前記第１の副の再生パスと前記第２の副の再生パスのそれぞれは前記所定の種類に対して許可されたタイプの再生パスである、という第１の条件を少なくとも満たしている前記再生管理情報を取得する取得手段と、前記取得手段により取得された前記再生管理情報に基づいて、再生するストリームの選択を、前記メインストリーム群と前記第１のサブストリーム群との第１の組み合わせ、または、前記メインストリーム群と前記第２のサブストリーム群との第２の組み合わせとして受け付ける受付手段と、前記受付手段により前記第１の組み合わせが受け付けられた場合、前記メインストリーム群を前記主の再生パスを参照して読み出すとともに、前記第１のサブストリーム群を前記第１の副の再生パスを参照して読み出し、前記受付手段により前記第２の組み合わせが受け付けられた場合、前記メインストリーム群を前記主の再生パスを参照して読み出すとともに、前記第２のサブストリーム群を前記第２の副の再生パスを参照して読み出す読み出し手段と、前記読み出し手段により読み出された前記メインストリーム群とともに、前記第１のサブストリーム群と前記第２のサブストリーム群とのうちの前記読み出し手段により読み出された方を再生する再生手段とを備え、前記読み出し手段が一度に読み出すことが可能なファイルの読み出し個数が第１のファイルと第２のファイルの２個と予め決められており、前記再生管理情報は、前記第１の条件に加えてさらに、前記第１のファイルとともに１つの前記第２のファイルが読み出されるように、１以上の前記副の再生パスを決定する、という第２の条件を満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示し、前記読み出し手段は、前記取得手段により取得された前記再生管理情報で特定される１以上のストリームのそれぞれを、前記主の再生パスにより参照される前記第１のファイル、および、１以上の前記副の再生パスのそれぞれにより参照される前記第１のファイルまたは第２のファイルのうちの、それぞれ対応するファイルからそれぞれ読み出す。
【手続補正３】
【補正対象書類名】明細書
【補正対象項目名】００２７
【補正方法】変更
【補正の内容】
【００２７】
本発明の第２の側面の記録媒体においては、少なくとも１つのストリームを含むファイルの再生を管理する再生管理情報が、メインストリーム群の時間軸上の位置を示す主の再生パス、第１のサブストリーム群の時間軸上の位置を示す第１の副の再生パス、および、第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、第１の副の再生パスと第２の副の再生パスのそれぞれは所定の種類に対して許可されたタイプの再生パスであるという第１の条件と、一度に読み出される前記ファイルの総数が、再生装置において予め決められた、第１のファイルと第２のファイルの２個となるように、前記第１の副の再生パスおよび前記第２の副の再生パスを決定する、という第２の条件を少なくとも満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示すデータが記録されているデータが記録される。
【手続補正４】
【補正対象書類名】明細書
【補正対象項目名】００２８
【補正方法】変更
【補正の内容】
【００２８】
本発明の第２の側面の記憶媒体の製造方法は、再生を管理する再生管理情報は、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、前記第１の副の再生パスと前記第２の副の再生パスのそれぞれは前記所定の種類に対して許可されたタイプの再生パスであるという第１の条件と、一度に読み出されるファイルの総数が、再生装置において予め決められた、第１のファイルと第２のファイルの２個となるように、前記第１の副の再生パスおよび前記第２の副の再生パスを決定する、という第２の条件を少なくとも満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示すデータ構造を有するデータを生成し、生成されたデータを記録媒体に記録する。
【手続補正５】
【補正対象書類名】明細書
【補正対象項目名】００２９
【補正方法】変更
【補正の内容】
【００２９】
本発明の第２の側面の記録媒体の製造方法においては、メインストリーム群の時間軸上の位置を示す主の再生パス、第１のサブストリーム群の時間軸上の位置を示す第１の副の再生パス、および、第１のサブストリーム群とは異なる第２のサブストリーム群の時間軸上の位置を示す第２の副の再生パスを含み、メインストリーム群の種類に応じて予め定義されている複数の種類のうちの所定の種類に分類され、第１の副の再生パスと第２の副の再生パスのそれぞれは所定の種類に対して許可されたタイプの再生パスであるという第１の条件と、一度に読み出されるファイルの総数が、再生装置において予め決められた、第１のファイルと第２のファイルの２個となるように、前記第１の副の再生パスおよび前記第２の副の再生パスを決定する、という第２の条件を少なくとも満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示すデータ構造を有するデータが生成され、生成されたデータが記録媒体に記録される。
【手続補正６】
【補正対象書類名】明細書
【補正対象項目名】００３４
【補正方法】変更
【補正の内容】
【００３４】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【手続補正７】
【補正対象書類名】明細書
【補正対象項目名】００３５
【補正方法】変更
【補正の内容】
【００３５】
本発明の第１の側面の再生装置（図４９の再生装置４０１）は、
メインストリーム群（例えば図５８のClip- AV Stream 0のVideoやAudio等）の時間軸上の位置を示す主の再生パス（例えば、図５８のMain path:メインパス）、前記第１のサブストリーム群（例えば、2ndVideoや2ndAudio等）の時間軸上の位置を示す第１の副の再生パス（例えば、図５８のSub path-1:サブパス-1）、および、前記第１のサブストリーム群とは異なる第２のサブストリーム群（例えばAudio等）の時間軸上の位置を示す第２の副の再生パス（例えば、図５８のClip AV Stream -1を参照するSub path-2:サブパス-2や、Clip AV Stream -2を参照するSub path-3:サブパス-3）を含み、前記メインストリーム群の種類に応じて予め定義されている複数の種類のうちの所定の種類（例えば図５３のapplication_type (of Main TS）の項目で分けられている種類のうちの、Movie Type/Time-based Slideshowと記述された種類。即ち、後述する同期型の種類）に分類されている再生管理情報（例えば図５８のPlayList）であって、前記第１の副の再生パスと前記第２の副の再生パスのそれぞれは前記所定の種類に対して許可されたタイプ（例えば図５３の例の場合、SubPath_type=5,6,7のうちのいずれかである。ただし、ここでいうSubPath_typeは図４５の例に従っている）の再生パスである、という第１の条件を少なくとも満たしている前記再生管理情報を取得する取得手段（例えば図６１乃至図６４のapplication_type=1or2のPlayListの再生処理を実行するために、図２６のステップＳ１１等の処理を実行する図４９のコントローラ３４）と、
前記取得手段により取得された前記再生管理情報に基づいて、再生するストリームの選択を、前記メインストリーム群と前記第１のサブストリーム群との第１の組み合わせ、または、前記メインストリーム群と前記第２のサブストリーム群との第２の組み合わせとして受け付ける受付手段（例えば、図６４のステップＳ１６３ＹＥＳ，Ｓ１６４乃至Ｓ１６９等の処理を実行する図４９のコントローラ３４）と、
前記受付手段により前記第１の組み合わせが受け付けられた場合、前記メインストリーム群を前記主の再生パスを参照して読み出すとともに、前記第１のサブストリーム群を前記第１の副の再生パスを参照して読み出し、前記受付手段により前記第２の組み合わせが受け付けられた場合、前記メインストリーム群を前記主の再生パスを参照して読み出すとともに、前記第２のサブストリーム群を前記第２の副の再生パスを参照して読み出す読み出し手段（例えば、図５８の例のPlayListの再生の場合には、図６２のステップＳ１５１、図６３のステップＳ１５５、図６４のステップＳ１６１とＳ１６２等の処理を実行する前に、図５１のステップＳ１０８等と等価の処理を実行する図４９のコントローラ３４）と、
前記読み出し手段により読み出された前記メインストリーム群とともに、前記第１のサブストリーム群と前記第２のサブストリーム群とのうちの前記読み出し手段により読み出された方を再生する（例えば、図５８の例のPlayListの再生の場合には、図６２のステップＳ１５１、図６３のステップＳ１５５、図６４のステップＳ１６１とＳ１６２等の処理を実行する図４９のAVデコーダ部３３）と
を備え、
前記読み出し手段が一度に読み出すことが可能なファイルの読み出し個数が第１のファイルと第２のファイル（例えば図５５乃至図５７の例のように、各Sub pathが参照するClip AV Stream -1,2,3を含む図５に示されるClipは、Main pathが参照するClip AV Stream -0を含む図５に示されるClipとはことなるClipであり）の２個と予め決められており、
前記再生管理情報は、前記第１の条件に加えてさらに、前記第１のファイルとともに１つの前記第２のファイルが読み出されるように（例えば図５４の表の中央の行となるように）、１以上の前記副の再生パスを決定する、という第２の条件（例えば図５３のnumber of SubPathsの項目と、図５４の表とで示される条件）を前記再生管理情報は満たしており、
前記主の再生パスは、前記第１のファイルに含まれる前記メインストリーム群のうちの少なくとも１つのストリーム（例えば、図５５乃至図５８の例ではClip AV Stream-0）の時間軸上の位置を示し、
前記副の再生パスは、前記第１のファイルに含まれる前記第１のサブストリーム群または前記第２のファイルに含まれる前記第２のサブストリーム群のうちの少なくとも１つのストリーム（例えば、図５５乃至図５８の例ではClip AV Stream -1，2，3）のそれぞれの時間軸上の位置を示し、
前記読み出し手段は、前記取得手段により取得された前記再生管理情報で特定される１以上のストリームのそれぞれを、前記主の再生パスにより参照される前記第１のファイル、および、１以上の前記副の再生パスのそれぞれにより参照される前記第１のファイルまたは第２のファイルのうちの、それぞれ対応するファイルからそれぞれ読み出す。
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】変更
【補正の内容】
【００４６】
本発明の第２の側面の記録媒体は、再生管理情報が、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、前記第１の副の再生パスと前記第２の副の再生パスのそれぞれは前記所定の種類に対して許可されたタイプ（例えば図５３の例の場合、SubPath_type=5,6,7のうちのいずれかである。ただし、ここでいうSubPath_typeは図４５の例に従っている）の再生パスであるという第１の条件と、一度に読み出されるファイルの総数が、再生装置において予め決められた、第１のファイルと第２のファイルの２個となるように、前記第１の副の再生パスおよび前記第２の副の再生パスを決定する、という第２の条件を少なくとも満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示すデータが記録されている。
【手続補正１０】
【補正対象書類名】明細書
【補正対象項目名】００４７
【補正方法】変更
【補正の内容】
【００４７】
本発明の第２の側面の記録媒体の製造方法は、再生管理情報が、メインストリーム群の時間軸上の位置を示す主の再生パス、第１のサブストリーム群の時間軸上の位置を示す第１の副の再生パス、および、前記第１のサブストリーム群とは異なる第２のサブストリーム群の時間軸上の位置を示す第２の副の再生パスを含み、前記メインストリーム群の種類に応じて予め定義されている複数の種類のうちの所定の種類に分類され、前記第１の副の再生パスと前記第２の副の再生パスのそれぞれは前記所定の種類に対して許可されたタイプ（例えば図５３の例の場合、SubPath_type=5,6,7のうちのいずれかである。ただし、ここでいうSubPath_typeは図４５の例に従っている）の再生パスであるという第１の条件と、一度に読み出されるファイルの総数が、再生装置において予め決められた、第１のファイルと第２のファイルの２個となるように、前記第１の副の再生パスおよび前記第２の副の再生パスを決定する、という第２の条件を少なくとも満たしており、前記主の再生パスは、前記第１のファイルに含まれる前記メインストリーム群のうちの少なくとも１つのストリームの時間軸上の位置を示し、前記副の再生パスは、前記第１のファイルに含まれる前記第１のサブストリーム群または前記第２のファイルに含まれる前記第２のサブストリーム群のうちの少なくとも１つのストリームのそれぞれの時間軸上の位置を示すデータが記録されているデータ構造を有するデータを生成し、生成されたデータを記録媒体に記録するステップを含む。